(57)【特許請求の範囲】
【請求項１】
外装ケース本体にテープメカニズムが内蔵された音響機器において発生したカセットのテープが走行系に巻き付いたテープ障害を復旧するに際し、基端が前記外装ケース本体に回動自在に取り付けられ使わない位置に回動したハンドルをハンドル収納部から使用位置に向かって回動させ、ハンドルの回動によって露出したハンドル収納部に形成されている開口からテープメカニズムに向かって棒状治具を挿入してテープメカニズムを動かして前記テープ障害を復旧するカセットテープ障害復旧方法。
【請求項２】
カセットテープを走行させるテープメカニズムを外装ケース本体の内部に配置するとともに、基端が前記外装ケース本体に回動自在に取り付けられたハンドルを有する音響装置において、外装ケース本体には前記テープメカニズムの近傍位置に外装ケース本体の外形に沿って使わない位置に回動した前記ハンドルを収容する凹部からなるハンドル収納部を形成し、前記外装ケース本体の前記ハンドル収納部で前記ハンドルを使用位置に向かって回動させた状態で露出する部分に、外装ケース本体の内部に連通してテープメカニズムの一部が臨む開口を形成した音響装置。
【請求項３】
カセットテープを走行させるテープメカニズムを外装ケース本体の内部に配置するとともに、基端が前記外装ケース本体に回動自在に取り付けられたハンドルを有する音響装置において、外装ケース本体には前記テープメカニズムの近傍位置に外装ケース本体の外形に沿って使わない位置に回動した前記ハンドルを収容する凹部からなるハンドル収納部を形成し、前記外装ケース本体の前記ハンドル収納部で前記ハンドルを使用位置に向かって回動させた状態で露出する部分のテープメカニズム寄りの内側壁に、外装ケース本体の内部に連通してテープメカニズムの一部が臨む開口を形成した音響装置。
【発明の詳細な説明】
【０００１】
【発明の属する技術分野】
本発明は、テープメカニズムが内蔵された音響機器において発生したテープ障害を復旧するカセットテープ障害復旧方法と音響装置に関するものである。
【０００２】
【従来の技術】
従来から、音響装置として、ユーザからの各種要望に答えて多機能化するために、カセットテープ装置やコンパクトディスク（ＣＤ）装置やミニディスク（ＭＤ）装置等、複数の音響機器が同一筐体内に組み込まれた音響装置が製品化されており、広く利用されている。
【０００３】
このような従来の音響装置について、図面を参照しながら以下に説明する。ここでは、音響機器としてカセットテープ装置およびＣＤ装置が同一筐体内に組み込まれた音響装置を例に挙げて説明する。
図７は従来の音響装置の一構成例を示し、音響機器としてカセットテープ装置およびＣＤ装置が同一筐体内に組み込まれた場合の分解斜視図である。この音響装置は、図７に示すように、上キャビネット２２には事前に左右のカセットホルダ３０が取り付けられており、カセットオープンバネ（図示せず）により、カセットホルダ３０には、常時、上キャビネット２２に対して開く方向に力が加わっている。
【０００４】
そして、筐体の底面部をなす下キャビネット２１と、筐体のその他の部分をなす上キャビネット２２と、下キャビネット２１上に横向きに取り付けられるＣＤ用メカニズム２３と、このＣＤ用メカニズム２３の上方に配設されるプリント基板２４と、このプリント基板２４の上方に配設されるテープ用メカニズム２５とを備えており、上キャビネット２２に一体形成したボス（図示せず）にテープ用メカニズム２５を下方からビス止めし、テープ用メカニズム２５に設けられているコネクタ（図示せず）に、プリント基板２４に半田付けしたコネクタ２６を挿入して、テープ用メカニズム２５を電気的に制御するようになっている。
【０００５】
また、プリント基板２４は上キャビネット２２に一体形成したボス（図示せず）に下方からビス止めされ、最終的に下キャビネット２１を上キャビネット２２に嵌合し、ビス止めして構成されている。さらに、ＣＤ用メカニズム２３は、予め下キャビネット２１に上方からビス固定され、線材２７でプリント基板２４に結線されている。
【０００６】
この構成における組み立ては、上キャビネット２２を下にしてテープ用メカニズム２５、プリント基板２４を順に組み付けて行き、最後に、ＣＤ用メカニズム２３を取り付けた下キャビネット２１をビス止めした後に反転して完成といった手順で行われる。
これらのＣＤ用メカニズム２３、プリント基板２４、テープ用メカニズム２５は筐体（上キャビネット２２と下キャビネット２１）内の中央部に配置されており、これらの左右箇所には、下キャビネット２１の底面部分から上方に延びる２つの隔壁２８が一体形成され、これらの隔壁２８により、密閉構造のスピーカボックスの一部を構成するようになっている。
【０００７】
次に、図８はカセットハーフ８０がテープ用メカニズム２５に装着されている状態を示す斜視図であり、図８に示すように、テープ用メカニズム２５のキャプスタン２５１とフライホイール２５２は連動しており、このフライホイール２５２が、モータなどの動力源（図示せず）で回転されることにより、キャプスタン２５１を介してカセットハーフ８０に収納されたテープを駆動するように構成されている。
【０００８】
【発明が解決しようとする課題】
しかしながら上記のような従来の音響装置の構成では、上キャビネット２２を下にして順次組み上げて行くため、外観の主たる面を有する上キャビネット２２にキズが入ったり、最終的にセットの反転作業が必要であったり、プリント基板２４上の配線用のコネクタ２６をテープ用メカニズム２５のコネクタ（図示せず）に挿入することが困難であったりという作業的な不具合が発生し、これを解決することが要求され、この解決のためには、組み立て方法として、下キャビネット２１を基本とした積み上げ方式のほうが適している。
【０００９】
ここで、図８に示すように、カセットハーフ８０のテープがキャプスタン２５１に巻き込まれ、カセットハーフ８０が取り出せなくなるといった故障が発生した場合には、この修理方法として、図７に示す従来の組み立て方式で組み立てた音響装置においては、上キャビネット２２と下キャビネット２１を分解して、プリント基板２４を上キャビネット２２より外せば、フライホイール２５２が回せる状態となり、カセットハーフ８０のテープのキャプスタン２５１への巻き込みを解除することができる。
【００１０】
一方、積み上げ方式で組み立てた音響装置においては、フライホイール２５２をカセットハーフ８０のテープがゆるむ方向にまわして、そのテープを外すやり方が一般的であるが、この場合だと、カセットホルダ３０は一般的に上キャビネット２２に取り付けられ、テープ用メカニズム２５は下キャビネット２１に取り付けられる場合いが多く、カセットホルダ３０とテープ用メカニズム２５は、構成上、上下に泣き別れ状態となり、テープ巻き込み時には、機器の分解が困難となり、このような状態では、カセットテープのテープ用メカニズム２５からの取り外しも非常に難しくなり、その取り外し作業における作業性が低下してしまうという問題点を有していた。
【００１１】
本発明は、上記従来の問題点を解決するもので、カセット内のテープがキャプスタンに巻き付くテープ障害が発生した際に、そのカセットテープを、下キャビネットを基本とした組み立て構成での分解作業をすることなく、テープ用メカニズムから容易に取り外すことができ、このような場合の作業性を大幅に向上することができるカセットテープ障害復旧方法と音響装置を提供する。
【００１２】
【課題を解決するための手段】
上記の課題を解決するために本発明のカセットテープ障害復旧方法と音響装置は、外装ケース本体に回動自在に取り付けられたハンドルを収納するハンドル収納部で、テープメカニズムの一部が臨む位置に、開口を設けることにより、カセットのテープがテープメカニズムの走行系に巻き付いたときに、開口から挿入した棒状治具によりテープメカニズムの走行系を動かして、テープメカニズムの走行系に対するテープの巻き付きの解除を可能とし、カセットテープのテープメカニズムからの取り外しを可能とすることを特徴とする。
【００１３】
以上により、カセット内のテープがテープメカニズムの走行系に巻き付くテープ障害が発生した際に、そのカセットテープを、下キャビネットを基本とした組み立て構成での分解作業をすることなく、テープメカニズムから容易に取り外すことができ、このような場合の作業性を大幅に向上することができる。
【００１４】
【発明の実施の形態】
本発明の請求項１に記載のカセットテープ障害復旧方法は、外装ケース本体にテープメカニズムが内蔵された音響機器において発生したカセットのテープが走行系に巻き付いたテープ障害を復旧するに際し、基端が前記外装ケース本体に回動自在に取り付けられ使わない位置に回動したハンドルをハンドル収納部から使用位置に向かって回動させ、ハンドルの回動によって露出したハンドル収納部に形成されている開口からテープメカニズムに向かって棒状治具を挿入してテープメカニズムを動かして前記テープ障害を復旧する方法とする。
【００１５】
請求項２に記載の音響装置は、カセットテープを走行させるテープメカニズムを外装ケース本体の内部に配置するとともに、基端が前記外装ケース本体に回動自在に取り付けられたハンドルを有する音響装置において、外装ケース本体には前記テープメカニズムの近傍位置に外装ケース本体の外形に沿って使わない位置に回動した前記ハンドルを収容する凹部からなるハンドル収納部を形成し、前記外装ケース本体の前記ハンドル収納部で前記ハンドルを使用位置に向かって回動させた状態で露出する部分に、外装ケース本体の内部に連通してテープメカニズムの一部が臨む開口を形成した構成とする。
【００１６】
請求項３に記載の音響装置は、カセットテープを走行させるテープメカニズムを外装ケース本体の内部に配置するとともに、基端が前記外装ケース本体に回動自在に取り付けられたハンドルを有する音響装置において、外装ケース本体には前記テープメカニズムの近傍位置に外装ケース本体の外形に沿って使わない位置に回動した前記ハンドルを収容する凹部からなるハンドル収納部を形成し、前記外装ケース本体の前記ハンドル収納部で前記ハンドルを使用位置に向かって回動させた状態で露出する部分のテープメカニズム寄りの内側壁に、外装ケース本体の内部に連通してテープメカニズムの一部が臨む開口を形成した構成とする。
【００１７】
これらの方法および構成によると、外装ケース本体に回動自在に取り付けられたハンドルを収納するハンドル収納部で、テープメカニズムの一部が臨む位置に、開口を設けることにより、カセットのテープがテープメカニズムの走行系に巻き付いたときに、開口から挿入した棒状治具によりテープメカニズムの走行系を動かして、テープメカニズムの走行系に対するテープの巻き付きの解除を可能とし、カセットテープのテープメカニズムからの取り外しを可能とする。
【００１８】
以下、本発明の実施の形態を示す音響装置について、図面を参照しながら具体的に説明する。ここでも、従来の技術の場合と同様に、音響機器としてカセットテープ装置およびＣＤ装置が同一筐体内に組み込まれた音響装置を例に挙げて説明する。
図１は本実施の形態の音響装置の構成を示す分解斜視図（但し、左右のスピーカは省いて図示している）、図２は同実施の形態におけるテープ用メカニズム付近の構成を示す側面断面図、図３は同実施の形態におけるテープ用メカニズム付近の構成を示す正面断面図、図４は同実施の形態におけるハンドル収納時と非収納時を説明するための外観図、図５は同実施の形態におけるテープ用メカニズムへのカセットハーフの装着状態を示す斜視図、図６は同実施の形態におけるカセットテープ障害復旧方法を説明するためのテープ用メカニズム付近の構成を示す要部断面図である。
【００１９】
この音響装置は、図１〜図３に示すように、筐体の底面部をなす下キャビネット１と、筐体のその他の部分をなす上キャビネット２と、下キャビネット１上に横向きに取り付けられるＣＤ用メカニズム３と、このＣＤ用メカニズム３の上方に配設されるプリント基板４と、このプリント基板４の上方に配設されるテープ用メカニズム５と、プリント基板４やテープ用メカニズム５を保持するためのメカニズム支持部材９とを備えている。
【００２０】
また、プリント基板４には、ＣＤ用メカニズム３およびテープ用メカニズム５などを制御する電子部品および回路が設けられており、テープ用メカニズム５に設けられているコネクタ（図示せず）に、プリント基板４に半田付けしたコネクタ６を挿入して、テープ用メカニズム５をプリント基板４に設けた部品などで電気的に制御するようになっている。また、ＣＤ用メカニズム３は線材７でプリント基板４に結線されている。
【００２１】
ＣＤ用メカニズム３は、下キャビネット１より上方に延びるように一体形成された４箇所のボス１ａに載せられて下キャビネット１に接近した横向き姿勢でビス孔３ａを通してビス１１で固定されている。プリント基板４は、下キャビネット１における前記ボス１ａよりも左右外側箇所において上方に延びるように一体形成された４箇所のボス１ｂに載せられて、ＣＤ用メカニズム３とテープ用メカニズム５との間で横向き姿勢でビス孔４ａを通してビス１２で固定されている。
【００２２】
テープ用メカニズム５の後部側は、下キャビネット１より上方に延びるように一体形成された３箇所のボス１ｃ上に載せられて、プリント基板４の上方位置で横向き姿勢でビス孔５ａを通してビス１３で固定されている。なお、このテープ用メカニズム５を取り付けるためのボス１ｃは、プリント基板４に設けられた挿通孔４ｂを貫通して配置される。
【００２３】
これらのＣＤ用メカニズム３、プリント基板４、テープ用メカニズム５は筐体（上キャビネット２と下キャビネット１とで形成される空間）内の中央部に配置されており、これらの左右箇所には、下キャビネット１からそれぞれ上方に延びる２つの隔壁８が一体形成され、これらの隔壁８により、左右に配置されるスピーカを収容する密閉構造のスピーカボックスの一部を構成するようになっている。
【００２４】
これらの隔壁８間にわたってメカニズム支持部材９が組み付けられている。すなわち、各隔壁８の上辺部前側寄りの箇所には下方に窪む凹部８ａが形成され、各凹部８ａに、メカニズム支持部材９の両側端に形成したフック９ａを係合させることで、組付時には左右の隔壁８同士をメカニズム支持部材９を介して連結している。
【００２５】
また、メカニズム支持部材９の下面には、下方から後方へ屈曲して延びる２つの受けリブ９ｂが形成され、これらの受けリブ９ｂが、プリント基板４に設けられた挿通孔４ｃに通されているとともに、受けリブ９ｂの先端部にてプリント基板４が下方に撓まないように受けられている。さらに、メカニズム支持部材９の後部には、テープ用メカニズム５の前部側を受ける３つのボス９ｃが形成され、これらのボス９ｃによりテープ用メカニズム５の前部側が載せられた状態で、ビス孔５ｂを通してビス１４で固定されている。
【００２６】
また、プリント基板４上の前端寄り箇所には、再生音楽に関する情報を表示可能な表示用部品としてのＬＣＤホルダ１０が取り付けられているが、このＬＣＤホルダ１０は、メカニズム支持部材９より前方に延びるように一体形成された取付片９ｄによってもビス孔９ｅを通してビス１５（図２参照、なお図１においては省いている）で固定されている。
【００２７】
この音響装置の組み立ては、以下のようにして行う。
まず、下キャビネット１のボス１ａにＣＤ用メカニズム３を載せてビス固定する。次に、下キャビネット１のボス１ｂにプリント基板４を載せてビス固定する。そして、メカニズム支持部材９を、その受けリブ９ｂがプリント基板４の挿通孔４ｃに通してプリント基板４を下方から受けるように係合させながら、各隔壁８の凹部８ａにフック９ａを係合させて、隔壁８間にわたって連結させる。
【００２８】
さらに、メカニズム支持部材９によってもＬＣＤホルダ１０をビス固定するとともに、テープ用メカニズム５を、メカニズム支持部材９のボス９ｃと下キャビネット１のボス１ｃとの上に載せてビス固定する。そして、上キャビネット２を乗せて、下キャビネット１の下面から、ビス止めする。
次に、上キャビネット２に事前に左右のカセットホルダ２０が取り付けられており、カセットオープンバネ（図示せず）により、カセットホルダ２０は開き方向に力が常時加わって、カセットホルダ２０は上キャビネット２に対して開いた状態となっており、最後に、上キャビネット２を下キャビネット１に組み入れして下キャビネット１の下面より、ビス止めして構成している。その後、カセットホルダ２０を上キャビネット２側へ閉めることにより、テープ用メカニズム５のフック（図示せず）とカセットホルダ２０の係止片（図示せず）が係合して閉状態となる。
【００２９】
また、この音響装置は、図１に示すように、筐体を構成する上キャビネット２は、装置本体を持ち運ぶために図４に示すように筐体の外側に取り付けられたハンドルＨ１を収納するハンドル収納部Ｓ１が左右に形成されており、それらのハンドル収納部Ｓ１の各内側壁面に筐体の内外が連通するように開口Ｋ１が設けられている。
【００３０】
また、図４に示すように、ハンドルＨ１は、実線で示す装置の据付使用時の位置と、仮想線（２点鎖線）で示すハンドルＨ１の使用位置との間で、回動自在となるように、その基端部が上キャビネット２に取り付けられている。
そして、据付使用時には、図４に示すように、ハンドルＨ１は実線で示すようにハンドル収納部Ｓ１に収納され、このハンドルＨ１により開口Ｋ１が外観上隠されるように構成されている。
【００３１】
次に、本構成において、カセット内のテープが走行系を構成するキャプスタンに巻き込まれてテープ障害が発生した際に、そのテープ障害を復旧してカセットハーフをテープ用メカニズムから解除する方法について説明する。
図５はカセットハーフ５０がテープ用メカニズム５に装着されている状態を示す斜視図であり、図５に示すように、テープ用メカニズム５のキャプスタン５１とフライホイール５２は連動しており、このフライホイール５２が、モータなどの動力源（図示せず）で回転されることにより、キャプスタン５１を介してカセットハーフ５０に収納されたテープを走行駆動するように構成されている。
【００３２】
ここで、カセットハーフ５０内のテープがキャプスタン５１に巻き込まれ、カセットハーフ５０が上キャビネット２から取り出せなくなる場合のような故障がある。この際の修理の方法としては、フライホイール５２をカセットハーフ５０内のテープがキャプスタン５１からゆるむ方向にまわして、そのテープを外すやり方が、一般的である。
【００３３】
本実施の形態の場合には、カセットハーフ５０内のテープがキャプスタン５１に巻き込まれたとしても、図６に示すように、左右の隔壁８の外側にそれぞれ形成された各ハンドル収納部Ｓ１の内側壁面に開口Ｋ１を設け、ハンドルＨ１をハンドル収納部Ｓ１から図４の仮想線（２点鎖線）で示す使用位置に回動した状態で、その回動によって露出した開口Ｋ１から棒状治具として例えばドライバー治具５９を、テープ用メカニズム５に向かって筐体の内部に挿入できるように構成することにより、ドライバー治具５９を用いて開口Ｋ１からテープ用メカニズム５に設けられているフライホイール５２を回すことができる。
【００３４】
以上の構成により、カセットハーフ５０内のテープのキャプスタン５１への巻き付きなどのテープ障害が発生したときにも、ハンドルＨ１を回動してその使用位置とした状態で開口Ｋ１から挿入したドライバー治具５９により、キャプスタン５１に繋がるフライホイール５２を回転させ、キャプスタン５１に対するテープの巻き付きを解除することができ、テープ用メカニズム５からカセットハーフ５０を取り外すことができる。
【００３５】
以上のようにして、本体を持ち運ぶために筐体の外側に取り付けられたハンドルＨ１を収納するハンドル収納部Ｓ１における内側壁面で、テープ用メカニズム５に設けられキャプスタン５１に繋がるフライホイール５２をドライバー治具５９の挿入により回せるような位置に、開口Ｋ１を設けることにより、カセットハーフ５０内のテープのキャプスタン５１への巻き付きが発生したときに、開口Ｋ１から挿入したドライバー治具５９によりキャプスタン５１に繋がるフライホイール５２を回転させ、キャプスタン５１に対するテープの巻き付きを解除することができ、テープ用メカニズム５からカセットハーフ５０を取り外すことができる。
【００３６】
その結果、カセットハーフ５０内のテープがキャプスタン５１に巻き付いた際に、そのカセットハーフを、下キャビネット１を基本とした組み立て構成での分解作業をすることなく、テープ用メカニズム５から容易に取り外すことができ、このような場合の作業性を大幅に向上することができる。
また、据付使用時には、ハンドルＨ１はハンドル収納部Ｓ１に収納され、このハンドルＨ１により開口Ｋ１が隠されるため、外観上の問題も起こらないようにすることができる。
【００３７】
なお、上記の実施の形態において、開口Ｋ１の形状、寸法、形成位置および個数については、上記のものに限るものではなく、例えば、上キャビネット２のハンドル収納部Ｓ１付近の強度の不具合、図４に示す据付使用時（ハンドルＨ１は実線で示す位置）の外観上および開口Ｋ１からのゴミなどの不要物侵入等の不具合、さらにハンドル収納部Ｓ１へのハンドルＨ１の収納時および非収納時の安全性における不具合等がない範囲であれば、かつ開口Ｋ１から挿入したドライバー治具５９によりフライホイール５２を回転させることに対して不都合がなければ、どのような状態に形成してもよく、同様の効果が得られる。
【００３８】
また上記では、開口Ｋ１の形成位置について、ハンドル収納部Ｓ１における内側壁面として説明したが、特に内側壁面に限るものではなく、ハンドル収納部Ｓ１における底面部としてもよい。
また、上記の実施の形態においては、音響機器として、カセットテープ装置およびＣＤ装置の２つの音響機器が同一筐体内に組み込まれた場合を例に挙げて説明したが、複数の音響機器が同一筐体内に組み込まれている場合は、複数の音響機器のうちに、少なくとも１組のカセットテープ装置が含まれているものであれば、どのような組合わせでもよいし、勿論、１組のカセットテープ装置のみの場合にも適用することができ、それぞれ同様の効果が得られる。
【００３９】
【発明の効果】
以上のように本発明によれば、外装ケース本体に回動自在に取り付けられたハンドルを収納するハンドル収納部で、テープメカニズムの一部が臨む位置に、開口を設けることにより、カセットのテープがテープメカニズムの走行系に巻き付いたときに、開口から挿入した棒状治具によりテープメカニズムの走行系を動かして、テープメカニズムの走行系に対するテープの巻き付きを解除することができ、カセットテープをテープメカニズムから取り外すことができる。
【００４０】
そのため、カセット内のテープがテープメカニズムの走行系に巻き付くテープ障害が発生した際に、そのカセットテープを、下キャビネットを基本とした組み立て構成での分解作業をすることなく、テープメカニズムから容易に取り外すことができ、このような場合の作業性を大幅に向上することができる。
また、据付使用時には、ハンドルはハンドル収納部に収納され、このハンドルにより開口が隠されるため、外観上の問題も起こらないようにすることができる。
【図面の簡単な説明】
【図１】本発明の実施の形態の音響装置の構成を示す分解斜視図（但し、左右のスピーカならびにテープ用メカニズムの蓋部分は省いて図示している）
【図２】同実施の形態におけるテープ用メカニズム付近の構成を示す側面断面図
【図３】同実施の形態におけるテープ用メカニズム付近の構成を示す正面断面図
【図４】同実施の形態におけるハンドル収納時と非収納時を説明するための外観図
【図５】同実施の形態におけるテープ用メカニズムへのカセットハーフの装着状態を示す斜視図
【図６】同実施の形態におけるカセットテープ障害復旧方法を説明するためのテープ用メカニズム付近の構成を示す要部断面図
【図７】従来の音響装置の構成を示す分解斜視図
【図８】同従来例におけるテープ用メカニズムへのカセットハーフの装着状態を示す斜視図
【符号の説明】
１    下キャビネット（筐体底面部）
２    上キャビネット
３    ＣＤ用メカニズム
４    プリント基板
５    テープ用メカニズム
５０    カセットハーフ（カセットテープ）
５１    キャプスタン
５２    フライホイール
５９    ドライバー治具
Ｈ１    ハンドル
Ｋ１    開口
Ｓ１    ハンドル収納部
【図１】
0003558563.tif 000002
【図２】
0003558563.tif 000003
【図３】
0003558563.tif 000004
【図４】
0003558563.tif 000005
【図５】
0003558563.tif 000006
【図６】
0003558563.tif 000007
【図７】
0003558563.tif 000008
【図８】
0003558563.tif 000009